(57)【要約】【課題】  ホログラフィック光学系の面積を広く確保することで、広い領域で画像表示を行うとともに、観察者の可視領域を広く確保したヘッドアップディスプレイ装置を提供する。【解決手段】  本発明のヘッドアップディスプレイ装置は、観察位置に対向して配設されるホログラフィック光学系２０と、ホログラフィック光学系２０に映像を投影し、観察位置に観察像を形成するプロジェクタ部１０とを備え、ホログラフィック光学系２０は、複数のホログラフィック素子２０ａ、２０ｂの一部が互いに貼り合わされて形成されていることを特徴としている。【選択図】図５
2011158517.tif 000002
【特許請求の範囲】
【請求項１】
観察位置に対向して配設されるホログラフィック光学系と、
前記ホログラフィック光学系に映像を投影し、前記観察位置に観察像を形成するプロジェクタ部とを備え、
前記ホログラフィック光学系は、複数のホログラフィック素子の一部が互いに貼り合わされて形成されていることを特徴とする
ヘッドアップディスプレイ装置。
【請求項２】
前記ホログラフィック素子は光学拡大機能を有することを特徴とする
請求項１に記載のヘッドアップディスプレイ装置。
【請求項３】
前記ホログラフィック光学系は、前記複数のホログラフィック光学素子が、前記観察位置に位置する観察者に対し、垂直方向に貼り合わされていることを特徴とする
請求項１または請求項２に記載のヘッドアップディスプレイ装置。
【請求項４】
前記ホログラフィック光学系は、前記複数のホログラフィック光学素子が、前記観察位置に位置する観察者に対し、水平方向に貼り合わされていることを特徴とする
請求項１から請求項３の何れか１項に記載のヘッドアップディスプレイ装置。
【請求項５】
前記ホログラフィック光学系は、貼り合わされた前記複数のホログラフィック光学素子の回折率が互いに異なることを特徴とする
請求項１から請求項４の何れか１項に記載のヘッドアップディスプレイ装置。
【発明の詳細な説明】
【技術分野】
【０００１】
本発明は、自動車などの操縦者に対して計器情報などの各種情報を視覚的に提供するヘッドアップディスプレイ装置に関するものである。
【背景技術】
【０００２】
従来、自動車などの移動体において、液晶ディスプレイなどにより形成された計器情報、ナビゲーション装置における地図情報などの各種情報映像を、フロントウィンドウに投影し、操縦者に情報を伝達するヘッドアップディスプレイ装置が知られている。特許文献１、特許文献２には、車両にこのようなヘッドアップディスプレイ装置を用いることについての開示がみられる。
【０００３】
特許文献１には、発光表示手段から情報を含む光を窓ガラスに向けて発し、表示像を観測者に視認させる乗り物用表示システムにおいて、光の表示像を窓ガラス上に結像させるものが記載されている。この乗り物用表示システムによれば、観測者が視認する表示像は実像となるため、従来の虚像を用いた表示システムと比較して、動歪みが全く生じない表示システムを提供することが可能となっている。
【０００４】
特許文献２には、ヘッドアップディスプレイ装置におけるコンバイナとして、反射回折により拡散光を再生する透明なホログラムを用いることが開示されている。このようなホログラムを用いたコンバイナを用いることで、非常に高い平面性が要求されることなく、ボケが少なく、しかも明るい再生像を観察できるコンバイナ、そして、ヘッドアップディプレイ装置を提供することが可能となる。
【０００５】
ここで、図１１、図１２を用いて、ヘッドアップディスプレイ装置の一実施形態を簡単に紹介する。図１１はヘッドアップディスプレイ装置の各種構成をインストルメントパネル内に組み込んだ場合の実施形態である。液晶表示パネル上には、車両の計器情報や、ナビゲーション装置からの地図情報などの映像情報が出力表示される。液晶表示パネル背面には光源としてのバックライトが設置され、液晶表示パネルを背面から照射することで、光学系拡大素子としての凹面ミラーに液晶表示パネルに形成される映像を照射する。凹面ミラーで反射、拡大された映像はフロントウィンドウ又はフロントウィンドウ上に設けた透過性反射板の内側に投影される。
【０００６】
操縦者は、フロントウィンドウ前方に位置する表示像（虚像）を車外の景色と同時に視認することができる。また、表示像までの距離（距離Ｌ）をできるだけ遠方にすることで、操縦者は少ない焦点位置の移動量で計器情報や地図情報などの映像情報を確認することができる。
【０００７】
図１２は、車両運転席背後からの様子を示した図であり、フロントウィンドウの破線で囲んだ表示範囲内に各種の映像情報が映し出され、運転者はインストルメントパネル内に配置されている各種計器類などに視線を落とさなくても、車両の運転に注意を払いながら映像による各種情報を取得することができる。
【先行技術文献】
【特許文献】
【０００８】
【特許文献１】特開平８−９１０９４号公報
【特許文献２】特開平９−１７９０５８号公報
【発明の概要】
【発明が解決しようとする課題】
【０００９】
特許文献２に開示されているように、コンバイナにホログラム、いわゆる、ホログラフィック光学素子を用いることで、従来のハーフミラーや偏光ビームスプリッターを用いる場合と比べ、外界光を損なわない高いシースルー性と、明るい映像表示を両立させることが可能となる。また、ホログラフィック光学素子にレンズ機能（光学拡大機能）を持たせることで、表示映像を拡大することが可能となり、システム構成の簡素化、小型化も可能となる。
【００１０】
コンバイナとしてホログラフィック光学素子を用いた場合、広い領域の映像表示を確保するためには、面積の大きいホログラフィック光学素子が必要となる。しかしながら、現状、ホログラフィック光学素子は、生産コストや歩留まりの点などから、大型（大判）のものを製作することが困難である。
【００１１】
また、ホログラフィック光学素子は、フロントウィンドウなどに貼付（固定）されて用いられるため、位置調整を行うことが困難であり、観察者の体格差、あるいは、体勢の状況によって生じる観察位置の変化に対応することが困難となっている。このような場合においても、面積の大きいホログラフィック光学素子を利用できれば観察位置の拡大、すなわち、可視領域の拡大を図ることが可能ではあるが、前述のように大型のホログラフィック光学素子を調達することは、現状、困難な状況である。
【課題を解決するための手段】
【００１２】
上記課題を解決するため、本発明のヘッドアップディスプレイ装置は、観察位置に対向して配設されるホログラフィック光学系と、前記ホログラフィック光学系に映像を投影し、前記観察位置に観察像を形成するプロジェクタ部とを備え、前記ホログラフィック光学系は、複数のホログラフィック素子の一部が互いに貼り合わされて形成されていることを特徴としている。
【００１３】
さらに、本発明のヘッドアップディスプレイ装置において、前記ホログラフィック素子は光学拡大機能を有することを特徴とするものである。
【００１４】
さらに、本発明のヘッドアップディスプレイ装置において、前記ホログラフィック光学系は、前記複数のホログラフィック光学素子が、前記観察位置に位置する観察者に対し、垂直方向に貼り合わされていることを特徴とするものである。
【００１５】
さらに、本発明のヘッドアップディスプレイ装置において、前記ホログラフィック光学系は、前記複数のホログラフィック光学素子が、前記観察位置に位置する観察者に対し、水平方向に貼り合わされていることを特徴とするものである。
【００１６】
さらに、本発明のヘッドアップディスプレイ装置において、前記ホログラフィック光学系は、貼り合わされた前記複数のホログラフィック光学素子の回折率が互いに異なることを特徴とするものである。
【発明の効果】
【００１７】
本発明のヘッドアップディスプレイ装置によれば、ホログラフィック光学系を複数のホログラフィック光学素子の一部を互いに貼り合わせて形成することで、ホログラフィック光学系の面積を広く確保することが可能となり、広い領域で画像表示を行うことが可能となるとともに、観察者の可視領域を広く確保することが可能となる。
【図面の簡単な説明】
【００１８】
【図１】本発明の実施形態に係るヘッドアップディスプレイ装置を示す図。
【図２】本発明の実施形態に係るプロジェクタ装置を示す図。
【図３】ホログラフィック光学系によるレンズ機能を説明するための図。
【図４】ホログラフィック光学系の可視範囲を示す図。
【図５】本発明の実施形態に係るホログラフィック光学系形成の様子を示す図。
【図６】本発明の実施形態に係るホログラフィック光学系の可視範囲を示す図。
【図７】本発明の実施形態に係るホログラフィック光学系の回折率を説明するための図。
【図８】本発明の他の実施形態に係るホログラフィック光学系を示す図。
【図９】本発明の他の実施形態に係るホログラフィック光学系を示す図。
【図１０】本発明の他の実施形態に係るホログラフィック光学系を示す図。
【図１１】従来のヘッドアップディスプレイ装置を示す図。
【図１２】ヘッドアップディスプレイ装置による車室内での画像表示の様子を示す図。
【発明を実施するための形態】
【００１９】
図１は、本発明の実施形態に係るヘッドアップディスプレイ装置を示す図であって、自動車に採用された場合が示されている。なお、本発明のヘッドアップディスプレイ装置は、自動車に限らず、各種乗り物の操縦者に対する表示装置、あるいは、ゲーム機、シミュレーション装置に採用することが可能である。
【００２０】
観察者の観察方向には、自動車のフロントウィンドウ２１が配置されており、内側にはホログラフィック光学系２０が貼付されている。ホログラフィック光学系２０は、外界光を損なわないシースルー（透明）性を有するとともに、回折機能を有する光学部材であって、物体光と参照光の干渉パターンを記録することで作成される。本実施形態では、観察位置において、車室外の景色とプロジェクタ装置１０の映像情報を重畳して提供するコンバイナとして機能する。
【００２１】
プロジェクタ装置１０（本発明でいう「プロジェクタ部」）は、入力される各種映像情報に基づいて映像を投影する装置であって、液晶プロジェクタ、ＤＬＰプロジェクタ、ＬＣＯＳプロジェクタなど各種の方式を用いることが可能である。プロジェクタ装置１０から投影された映像は、ホログラフィック光学系２０で回折し、観察者の観察位置にて遠方に結像する虚像として観察される。観察者、すなわち、操縦者は視線を変動することなく、車室外の景色とプロジェクタ装置１０による映像情報を視認可能となる。また、本実施形態では、プロジェクタ装置１０の焦点距離を可変することにより、結像距離を変化させることが可能となる。これにより、前方車両が近くにある場合などでは結像距離を短く、前方車両が無い、あるいは遠い場合は結像距離を長く伸ばすなど、状況により操縦者の焦点距離を大きく変動させずに映像情報を視認可能にさせる。
【００２２】
図２は、本発明の実施形態に係るプロジェクタ装置を示す図である。本実施形態では、光源にレーザーを用いるとともに、画像を形成する画像形成部に液晶表示素子を用いた構成としている。レーザー光源１１は、レーザー半導体１１２、発散光学系１１１などを含んで構成される光源装置であって、レーザー半導体１１２から放射された出力光を、発散光学系１１１にて所定の照射断面形状に揃えて外部に出力する。
【００２３】
レーザー光源１１から出力された出力光は、ビームエキスパンダ１２にて、バックライトとして必要な面積に調整された後、画像形成部１３の背後に照射される。本実施形態では、この画像形成部１３として、液晶表示素子１３１を用いた液晶表示手段が採用されて
いる。レーザー光源１１の出力光は、拡散板１３２にて強度分布が均一となるように調整された後、液晶表示素子１３１に形成された画像を背後から照射して、プロジェクション光学系１４を介して投影像を形成する。
【００２４】
観察者は、この投影像をホログラフィック光学系２０を介して観察することとなる。これは、ホログラフィック光学系２０が有する偏光機能により可能となるものであるが、ホログラフィック光学系２０にレンズ機能（光学拡大機能）を持たせることで、観察者に大きな映像を提供することができるとともに、プロジェクタ装置１０内のプロジェクション光学系１４の小型化を図り、プロジェクタ装置１０自体の小型化を図ることも可能となる。
【００２５】
図３は、このようなレンズ機能を持たせたホログラフィック光学系を説明するための図である。ホログラフィック光学系２０は、高いシースルー性を有しているため、外来光はほとんど損失のないままこのホログラフィック光学系２０を透過する。一方、プロジェクション装置１０から発せられた入射光（再生光）は、ホログラフィック光学系２０にて所定方向に回折する。回折光が集光点に向けて回折するようホログラフィック光学系２０を製作することでレンズ機能（光学拡大機能）を持たせることが可能となる。
【００２６】
図４は、ホログラフィック光学系の可視範囲を説明するための図である。図４（ａ）に示すように観察者の視点がホログラフィック光学系２０に収まっている場合には、プロジェクション装置１０にて形成される映像を観察者に提供することが可能となる。しかしながら、観察者の体格差（この場合、身長が主となる）や、シートへの着座状況などによる体勢差によって、図４（ｂ）、図４（ｃ）に示されるように、観察者の視点がホログラフィック光学系２０からはみ出す場合には、可視範囲が見切れた状態となってしまい、プロジェクション装置１０にて形成される映像が正常に視認することができなくなってしまう。特に、ホログラフィック光学系２０は、フロントウィンドウ２１などに固定されて用いられるため、その位置調整を行うことができないため、このような体格差や体勢差による調整が困難となっている。
【００２７】
図５は、本発明の実施形態に係るホログラフィック光学系２０の形成の様子を示した図であって、図５（ａ）には正面図が、図５（ｂ）には側面図が示されている。本実施形態では、２枚のホログラフィック光学素子２０ａ、２０ｂの一部を互いに貼り合わすことでホログラフィック光学系２０が形成されており、１枚で形成した場合と比較して広い領域を確保することが可能となっている。本実施形態で利用するホログラフィック光学素子は、凹面鏡としての役割、すなわち、レンズ機能（光学拡大機能）を果たすものであり、このような役割を果たすものであれば、いかなるホログラフィック光学素子を用いても良い。
【００２８】
図５（ｂ）の側面図には、フロントウィンドウ２１の内側（車室側）には、ホログラフィック光学系２０が貼付される様子が示されている。このように本実施形態では、ホログラフィック光学系２０をフロントウィンドウ２１の内側に貼付することとしているが、その配設位置はこの形態に限られるものではなく、フロントウィンドウ２１の外側に貼付されるものであってもよいし、フロントウィンドウ２１を２枚の透明基材で形成し、両透明基材の間に挟まれて配設されるものであってもよい。また、ホログラフィック光学系２０の配設対象についても、フロントウィンドウ２１のみならず、フロントウィンドウ２１とは別途設けられた透明基材とするものであってもよい。
【００２９】
ホログラフィック光学系２０は、２枚のホログラフィック光学素子２０ａ、２０ｂが高さ方向（Ｙ軸方向）において重複領域を有するように互いに貼り合わされて形成されている。本実施形態では、上方に位置するホログラフィック光学素子２０ｂに下方に位置する
ホログラフィック光学素子２０ａが重なるように貼り合わされる形態となっている。本実施形態における各ホログラフィック光学素子２０ａ、２０ｂは、その形状、大きさ、光学特性が同じものを用いることとしているが、これらについては異なるものが用いられることとしてもよい。特に、光学特性については、その回折率を異ならせることで重複領域における視認性の向上を図ることが可能となる。
【００３０】
このように２枚のホログラフィック光学素子２０ａ、２０ｂは、互いに重なるように貼り合わされることで重複領域が形成されることになる。各ホログラフィック光学素子２０ａ、２０ｂは、元々、１枚毎で機能するように光学特性が与えられているため、この重複領域においては、本来の光学特性とは異なることとなってしまう。しかしながら、図１で説明したように、本実施形態のヘッドアップディスプレイ装置は、十分遠方で結像する像を観察するよう構成されているため、２つの光学特性が重なった場合であっても視覚的な違和感は少ない。
【００３１】
ホログラフィック光学系２０の面積拡大を図るためには、重複領域を設けずに複数のホログラフィック光学素子２０ａ、２０ｂを並べて配設することも検討できるが、ホログラフィック光学素子２０ａ、２０ｂを隙間無く配設することは非常に困難であって、生じた隙間においては、十分遠方で結像した像であっても視覚上の違和感は比較的大きいものとなってしまう。特に、ホログラフィック光学素子２０ａ、２０ｂ間で視点移動を行った場合、生じた隙間における違和感は大きく、この隙間、すなわち、実際のホログラフィック光学系２０の配置位置に焦点を合わせてしまう場合もある。そのため本実施形態では、このようにホログラフィック光学素子２０ａ、２０ｂを互いに貼り合わせ、あえて重複領域を形成することで、ホログラフィック光学系２０の拡大を図ることとしている。
【００３２】
このように本実施形態によれば、製造コストを抑えつつ大きな面積を有するホログラフィック光学系２０を提供することが可能となる。また、図５（ａ）の正面図に示されるように一方のホログラフィック光学系２０ａ上の点Ａから、他方のホログラフィック光学系２０ｂ上の点Ｂに視点を移動させる場合においても、スムースに視点移動を行うことが可能となっている。
【００３３】
図６は、本発明の実施形態に係るホログラフィック光学系の可視範囲を示す図である。図５で説明したようにホログラフィック光学系２０は、２枚のホログラフィック光学素子２０ａ、２０ｂで形成されているため、領域の拡大を図ることが可能となっている。また、本実施形態では、観察位置に位置する観察者に対し、垂直方向に貼り合わされているため、観察者の体格差や体勢差による視点位置の変更に柔軟に対応することが可能となっている。図６（ａ）〜図６（ｃ）に示されるように、同じ位置に貼付されたホログラフィック光学系２０であっても、その面積拡大を図ることで、観察者の視点が変化した場合においても視点をホログラフィック光学系２０内に収めることが可能となる。
【００３４】
図７は、本発明の実施形態に係るホログラフィック光学系の回折率を説明するための図である。この図は、図５（ｂ）の側面図において重複領域を拡大した図となっている。図中左側から入射するプロジェクタ装置１０から発せられた入射光は、第１のホログラフィック光学素子２０ａで回折光ａを生じる。一方、第１のホログラフィック光学素子２０ａを透過した透過光ａは、第２のホログラフィック光学素子２０ｂにて回折光ｂを生じるとともに、透過光ｂを通過させる。図中ではホログラフィック光学素子２０ａ、２０ｂは同じ光学特性であり、回折光ａと回折光ｂは平行光のまま操縦者に視認される為、論理的には画像は二重にぶれてゴーストのように視認されるはずである。しかし実際はホログラフィック光学素子が非常に薄いものであるため、回折光ａと回折光ｂのずれは非常に小さく操縦者からは問題なく視認可能である。
【００３５】
本実施形態では、２つのホログラフィック光学素子２０ａ、２０ｂとして同じ光学特性を用いることとしているが、好ましくは、この重複領域の重複関係において、ホログラフィック光学素子２０ａ、２０ｂの回折率を異ならせるとよい。具体的には、入射光側（図中左側、入射光に対して前面となる位置）に位置し、ホログラフィック光学系を構成する一方のホログラフィック光学素子２０ａの回折率（入射光に対するホログラフィック光学素子２０ａの回折光ａのパワー比）を、入射光のホログラフィック光学素子２０ａからの透過光側に位置（図中右側、透過光ａに対して前面となる位置）し、ホログラフィック光学系を構成する他方のホログラフィック光学素子２０ｂの回折率（透過光ａに対するホログラフィック光学素子２０ｂの回折光ｂのパワー比）よりも低くしておくことで、重複領域においてより違和感の少ない像を提供することが可能となる。さらに、観測者から見て、回折光ａと回折光ｂのパワー比を同等にするように設計することでホログラフィック光学素子２０ａとホログラフィック光学素子２０ｂの重複領域だけでなく、ホログラフィック光学系２０全体においても、さらに違和感の少ない像を提供することが可能となる。
【００３６】
この複数のホログラフィック光学素子２０ａ、２０ｂにおける回折率の相違は、各ホログラフィック光学素子２０ａ、２０ｂ全体で異なるものであっても、あるいは、重複領域のみ異なるものとしてもよい。重複領域のみ異なるようにできれば、各ホログラフィック光学素子２０ａ、２０ｂが単独で存在する部分において回折率を揃えることで、ホログラフィック光学系２０全体での違和感を抑えることが可能となる。一方、各ホログラフィック光学素子２０ａ、２０ｂの回折率を異ならせた場合には、１枚のホログラフィック光学素子２０ａ、２０内で回折率を変化させる必要が無いため、汎用のホログラフィック光学素子を用いることが可能となり製造コストが抑えられる。
【００３７】
なお、本実施形態では２枚のホログラフィック光学素子２０ａ、２０ｂが重ね合わされた場合について説明したが、３枚以上重ね合わされた場合においても、観察位置から結像側に向かうに従って回折率が大きくなるようにすることで、重複領域に形成される像の違和感を減少させることが可能となる。
【００３８】
以上、図５〜図７を用いて本発明の実施形態に係るホログラフィック光学系を説明したが、本発明によれば、観察者が観察する観察象の違和感を抑えつつ、簡易な構成でホログラフィック光学系の領域拡大を図ることが可能となる。特に、本実施形態では、観察位置に位置する観察者に対し、垂直方向に貼り合わせたことで、観察者の体格差や体勢差に柔軟に対応することが可能となっている。
【００３９】
図８〜図１０は、本発明の他の実施形態に係るホログラフィック光学系を示す図である。図５で説明した実施形態では２枚のホログラフィック光学素子を垂直方向に貼り合わせて形成したが、この形態に限ることなく他の形態を採用することも可能である。
【００４０】
図８は、３枚のホログラフィック光学素子２０ａ〜２０ｃを、図５と同様、垂直方向に貼り合わせた実施形態であり、このような実施形態によれば更なるホログラフィック光学系２０の拡大を図ることが可能となる。
【００４１】
図９は、２枚のホログラフィック光学素子２０ａ、２０ｂを、観察位置に位置する観察者に対し、水平方向（図５におけるＸ方向）に貼り合わせた実施形態である。このような実施形態によれば、観察者の左右方向の姿勢の移動に対しても可視範囲が見切れず視認させることが可能となる。また、観察者の水平方向に映像の拡大を図ることが可能となり、観察者に対し、より多くの情報を提供することが可能となる。さらに、より多くのホログラフィック光学素子を同様に並べることで、複数の観察者に対し表示を視認させることも可能となる。
【００４２】
図１０は、４枚のホログラフィック光学素子２０ａ〜２０ｄを４枚貼り合わせた実施形態となっている。このような実施形態によれば、観察者の垂直方向、水平方向の両方に対して観察領域の拡大を図ることが可能となり、観察者の体格差、体勢差に柔軟な対応を図ることが可能となるとともに、観察者に対してより多くの情報を提供することが可能となる。
【００４３】
以上、図８〜図１０を用いてホログラフィック光学系２０の他の実施形態について説明を行ったが、これら実施形態のみならず、ホログラフィック光学素子２０ａ〜２０ｄは、適宜重複形態を採用することが可能である。また、それぞれのホログラフィック光学素子２０ａ〜２０ｄの形状、光学特性についても異なるものを用いることとしても構わない。
【００４４】
なお、本発明はこれらの実施形態のみに限られるものではなく、それぞれの実施形態の構成を適宜組み合わせて構成した実施形態も本発明の範疇となるものである。
【符号の説明】
【００４５】
１０…プロジェクタ装置、１１…レーザー光源、１１１…発散光学系、１１２…レーザー半導体、１２…ビームエキスパンダ、１３…画像形成部、１３１…液晶表示素子、１３２…拡散板、１４…プロジェクション光学系、２０…ホログラフィック光学系、２０ａ〜２０ｄ…ホログラフィック光学素子、２１…フロントウィンドウ
【図１】
2011158517.tif 000003
【図２】
2011158517.tif 000004
【図３】
2011158517.tif 000005
【図４】
2011158517.tif 000006
【図５】
2011158517.tif 000007
【図６】
2011158517.tif 000008
【図７】
2011158517.tif 000009
【図８】
2011158517.tif 000010
【図９】
2011158517.tif 000011
【図１０】
2011158517.tif 000012
【図１１】
2011158517.tif 000013
【図１２】
2011158517.tif 000014